【事件の表示】
　特許第２８５２３５７号「表示装置」の特許に対する特許異議の申立てについて、次のとおり決定する。
【結　論】
　訂正を認める。
　特許第２８５２３５７号の請求項に係る特許を維持する。
【理　由】
１．手続きの経緯
　特許第２８５２３５７号の請求項１ないし６に係る発明についての出願は、平成７年３月９日に特許出願され、平成１０年１１月２０日にその発明について特許の設定登録がなされ、その後、キャノン株式会社より特許異議の申立てがなされ、取消理由通知がなされ、その指定期間である平成１２年４月１７日に訂正請求がなされたものである。
２．訂正の適否についての判断
（ア）訂正の内容
　特許権者が求めている訂正の内容は、以下のＡ〜Ｃのとおりである。
　Ａ．特許請求の範囲に記載されている「少なくとも微小冷陰極が設けられているカソード基板」を「少なくとも微小冷陰極が複数のカソード電極ライン上に設けられているカソード基板」に訂正する。
　Ｂ．特許請求の範囲に記載されている「前記導電性を有する支柱は前記導体配線と前記アノード電極とに当接するように配設されている」を 「前記導電性を有する支柱は前記アノード電極の発光領域外に設けられた領域と、前記カソード基板の前記カソード電極ライン又はゲート電極ラインに沿って形成されている導体配線との間に配設されて、前記導体配線と前記アノード電極とに当接するように配設されている」に訂正する。
Ｃ．発明の詳細な説明中の【００１７】の記載における「少なくとも微小冷陰極が設けられているカソード基板と、…、前記導電性を有する支柱は前記導体配線と前記アノード電極とに当接するように配設されている」を「少なくとも微小冷陰極が複数のカソード電極ライン上に設けられているカソード基板と、…、前記導電性を有する支柱は前記アノード電極の発光領域外に設けられた領域と、前記カソード基板の前記カソード電極ライン又はゲート電極ラインに沿って形成されている導体配線との間に配設されて、前記導体配線と前記アノード電極とに当接するように配設されている」に訂正する。
（イ）訂正の目的の適否、新規事項の有無及び拡張・変更の存否
　上記Ａの訂正事項に関連する記載として、願書に添付した明細書（以下、「特許明細書」という）には「図４において、１はカソード基板、２はカソード基板１上にストライプ状に形成されたカソード電極、…５はカソード電極２上に形成されたコーン状のエミッタ、６はその内部にコーン状のエミッタが配置されるように絶縁層３およびゲート電極４に設けられた開口部」（特許明細書第１１頁第１６〜２１行（特許公報第１０欄第１０〜１８行））と記載されており、上記Ａの訂正は、特許明細書に記載された事項の範囲内において、微小冷陰極が設けられている位置を限定したものであるから、特許請求の範囲の減縮を目的とするものであり、新規事項の追加にも該当しない。
　また、上記Ｂの訂正事項に関連する記載として、特許明細書には「アノード電極７が形成されている領域が実際に画像が表示される領域となるが」（特許明細書第５頁第１７〜１８行（特許公報第５欄第３４〜３６行））、「斜線で表されている部分はアノード基板８上に形成されるアノード電極であり、従来技術におけるアノード電極領域７１と本発明により拡張された領域７２とからなる。」（特許明細書第１０頁第１１〜１３行（特許公報第９欄第１７〜２０行））、「１１はカソード基板の下部余白に形成された導体配線であり、…この導体配線は、…拡張されたアノード電極７２の下に位置する場所に形成される。」（特許明細書第１０頁第２１〜２４行（特許公報第９欄第２９〜３４行））、「白丸で表されている１２は本発明により設けられた導電性を有する支柱（以下、「導体支柱」という）であり、アノード電極の拡張された領域７２とカソード基板１に形成された導体配線１１との間に配設されて、」（特許明細書第１１頁第３〜６行（特許公報第９欄第４３〜４７行））、「すなわち、導体配線１１がアノード引き出し配線Ａとなっている。」（特許明細書第１１頁第９〜１０行（特許公報第１０欄第３〜４行））、「また、上記各実施例においては、アノード引き出し配線をカソード引き出し配線群と同じ方向に導出しているが、これに限られることはなく、ゲート引き出し配線群と同一の方向に導出するようにしてもよい。」（特許明細書第１４頁第２６〜２８行（特許公報第１２欄第３７〜４１行））と記載されていることから、上記Ｂの訂正は、特許明細書に記載された事項の範囲内において、導電性を有する支柱が配設されている位置を限定したものといえるから、特許請求の範囲の減縮を目的とするものであり、新規事項の追加にも該当しない。
　さらに、上記Ｃの訂正事項は、上記Ａ，Ｂの訂正事項により特許請求の範囲を減縮したことに伴う発明の詳細な説明の訂正であるから、明りょうでない記載の釈明を目的とするものであって、新規事項の追加にも該当しない。
　そして、上記いずれの訂正も実質上特許請求の範囲を拡張し、又は変更するものでもない。
（ウ）独立特許要件の判断
　訂正明細書の請求項１ないし５に係る発明は、その特許請求の範囲の請求項１ないし５に記載された次の事項により特定されるとおりのものである。
【請求項１】「蛍光体を備えるアノード電極が設けられているアノード基板と、少なくとも微小冷陰極が複数のカソード電極ライン上に設けられているカソード基板と、前記アノード基板と前記カソード基板とを所定間隔をもって対向配置するとともに内部を高真空に封止するための封止部材と、前記アノード基板と前記カソード基板とが所定間隔を保持するよう、前記アノード基板と前記カソード基板との間に配設される複数本の支柱とを備えた表示装置において、
　前記カソード基板にはさらに少なくとも一つの導体配線が形成されており、前記複数本の支柱のうちの一部の支柱は導電性を有する支柱とされており、
　前記導電性を有する支柱は前記アノード電極の発光領域外に設けられた領域と、前記カソード基板の前記カソード電極ライン又はゲート電極ラインに沿って形成されている導体配線との間に配設されて、前記導体配線と前記アノード電極とに当接するように配設されていることを特徴とする表示装置。」
【請求項２】「前記導体配線は前記封止部材の外部に引き出されており、該導体配線を介して前記アノード電極に駆動電圧を供給することができるように構成されていることを特徴とする請求項１記載の表示装置。」
【請求項３】「前記導体配線は、前記微小冷陰極から引き出されれた導体配線と同一の方向に引き出されていることを特徴とする請求項２記載の表示装置。」
【請求項４】「前記アノード電極は、各ストライプ毎に、赤、青、緑の発光色が得られるように蛍光体が設けられたストライプ状に構成されており、前記各ストライプは発光色に応じて対応する引き出し配線に接続されるものであり、前記各発光色に対応する引き出し配線は、アノード基板上において交差することなく、前記導電性を有する支柱を介して、それぞれ、前記カソード基板に形成された前記導体配線に接続されていることを特徴とする請求項１〜３のいずれか１項に記載の表示装置。」
【請求項５】「前記微小冷陰極として電界放出素子が用いられていることを特徴とする請求項１〜４のいずれか１項に記載の表示装置。」
【請求項６】「前記微小冷陰極として、ＭＩＭ型電子放出素子、表面伝導型電子放出素子あるいはＰＮ型電子放出素子が用いられていることを特徴とする請求項１〜４のいずれか１項に記載の表示装置。」
　これに対して、当審が取消理由通知書で引用した刊行物１（特開平０３−２０８２４０号公報）には、「この平板型陰極線表示装置は、陰極から放射される電子ビームが衝突して励起される蛍光体が一体化された陽極１２を有する正面板１４…、この外囲器２２内に配置され陰極とこの陰極から放出される電子ビームを取出し、集束し、偏向し、または拡散するように制御する複数の電極とを含む電極構体２４とを備え、この電極構体２４から延びる電極端子２４ａは側壁部から導出されている。
　また、外囲器２２内には耐圧支持手段２６が配置され、この耐圧支持手段２６は、複数の耐圧支持ピン２８から成っており、この耐圧支持ピン２８は、導電性芯と絶縁被覆から成っているいるが、さらに電位シールド手段を備えていてもよい。
　これらの耐圧支持ピン２８は、電極構体２４を挟んで配置された上下の板状支持部材３０、３２に溶接または低融点ガラス封止等の手段によって一体化され、この耐圧支持手段２６は、電極構体２４と共に、正面板１４，裏面板１６及び側壁１８，２０をフリットガラス等の封着手段によって一体化して構成される。尚、第１図及び第２図において符号３８は耐圧支持ピン２８からの局部的応力を分散するために上部支持部材３０と背面板１６との間に配置された複数のストリップから成る応力分散部材である。
　耐圧支持手段２６の耐圧支持ピン２８は、電極構体２４を貫通しており、陽極１２の電圧は、この耐圧支持ピン２８によって背面板１６側で充分な絶縁がとられている。」（第２頁左上欄第６行〜同右下欄第２０行）と記載され、
「背面板１６はその内面にカップの底面に接触するグラファイト等の導電層４２を有する。
　第４図の実施例では、耐圧支持ピン２８と応力分散部材３８が陽極１２と陽極端子３４とを接続する機能を有する。耐圧支持ピン２８は、ステンレス等の導電性材料から作られた直径が０．１〜数ｍｍの導電性芯２８Ａとこの導電性芯２８Ａのまわりに設けられたアルミナ等の絶縁被覆２８Ｂとから成っている。この耐圧支持ピン２８は、陽極／蛍光体のメタルバックに接触してこのメタルバックと導通されている下部支持部材３２に溶接等の導電性接続手段によって接続し、」（第３頁右下欄第１３行〜第４頁左上欄第６行）と記載され、
「更に直接真空空間に絶縁体等を露出させることなく、」（第４頁右下欄第１７行〜同１９行）と記載され、
「（発明の効果）
　本発明によれば、上記のように、陽極端子を外囲器の側壁ではなく、背面板側に設けたので、陽極端子と電極構体の電極端子との間の間隔を大きくとることができるため両者の間で放電現象が発生することがなく、また陽極端子は実質的に平面板となる背面板に設けられていてその近傍に亀裂を生じさせる部材はないので高温での熱サイクルが印加されても亀裂が生ずることがない。尚、このように陽極端子が背面板にあると、モジュールパネルでの陽極の取り出しが容易となる。」（第５頁左上欄第５行〜同１６行）と記載されている。
　同刊行物２（特開平０５−１１４３７２号公報）には、「また背面パネル３の内面上には蛍光面１と対向して電界放出型カソードＫを有する電極構体５を配置する。」（第３頁左欄第８行〜同１０行）と記載されている。
　同刊行物３（CONFERENCE RECORD OF THE 1991 INTERNATIONAL DISPLAY RESERCH CONFERENCE OCTOBER 15-17,1991 Phosphor for Full-Color Microtips Fluorescent Displays F.Levy and R.Meyer,LETI,France)には、「Full-Color Microtips Fluorescent Display
 The full-color device is based on a tricromatic anode covered with red,green,and blue phosphor stripes and on a matrix cathode similar to that of monocrome device[1].The two plates are sealed together so that the bands of luminescent material are parallel to the cathode conductors as shown in Figure4.」（第２２頁左欄第１行〜同６行）と記載されている。
　同刊行物４（特開平０４−２８６８２８号公報）には、「ＭＩＭ型電子放出素子において、」（第１頁左欄第３行）と記載されている。
　同刊行物５（特開平０４−３６３８３４号公報）には、「本発明は、表面伝導型電子放出素子を用いた電子放出装置に関する。」（第２頁左欄第１９行〜同２０行）と記載されている。
　同刊行物６（特開平０４−３６２３６５号公報）には、「従来、半導体電子放出素子のうち、アバランシェ増幅を用いたものとしては、半導体基板上にｐ型半導体とｎ型半導体との接合を形成した素子（ｐｎ接合型素子）、…がある。」（第２頁左欄第２３行〜同２８行）と記載されている。
　（対比・判断）
　訂正明細書の請求項１に係る発明と刊行物１に記載された発明とを対比すると、両者は、
Ａ．訂正明細書の請求項１に係る発明では、カソード基板とアノード基板との間に配設された導電性を有する支柱が、アノード電極の発光領域外に設けられた領域に配設されているのに対して、刊行物１に記載された発明では、耐圧支持ピン２８が、陽極１２の発光領域外にあるとは把握できない点、
Ｂ．訂正明細書の請求項１に係る発明では、カソード基板に形成された導体配線が、カソード基板の前記カソード電極ライン又はゲート電極ラインに沿って形成されているのに対して、刊行物１に記載された発明では、導電層４２が、カソード電極やゲート電極とどのような位置関係で形成されているのか不明である点、
で相違する。
　上記相違点Ａ、Ｂについて検討するに、刊行物２〜６のどれにも、カソード基板とアノード基板との間に配設された導電性を有する支柱に対応する構成、そして、カソード基板に形成された導電配線に対応する構成は記載も示唆もされていない。してみれば、上記相違点Ａ、Ｂは、刊行物２〜６に記載の技術的事項を刊行物１に記載された発明に結合することにより当業者が容易になし得たものとはいえず、そして、訂正明細書の請求項１に係る発明は、表示装置の各電極からの引き出し配線を２辺に配置することが可能となり、表示装置と駆動回路とを接続する作業工程を短縮することができ、かつ、外形寸法の小さい表示装置を提供することができるという顕著な効果を奏するものである。
　さらに、訂正明細書の請求項２ないし６に係る発明と刊行物１に記載された発明とを対比すると、訂正明細書の請求項２ないし６に係る発明は、訂正明細書の請求項１に係る発明の技術的事項を限定したものであるから、請求項１に係る発明と同様の理由により、当業者が容易になし得たものとはいえない。
　したがって、訂正明細書の請求項１ないし６に係る発明は、上記刊行物１〜６に記載された発明から容易に発明をすることができたものとすることができないから、訂正明細書の請求項１ないし６に係る発明は、特許出願の際独立して特許を受けることができるものである。
（エ）むすび
　以上のとおりであるから、上記訂正は、特許法第１２０条の４第２項及び同条第３項において準用する第１２６条第２〜４項の規定に適合するものであるから、当該訂正を認める。
１．特許異議申立てについて
（ア）本件発明
　平成１２年４月１７日付けで提出された訂正明細書の請求項１ないし６に係る発明（以下、「本件発明１ないし６」という。）は、その特許請求の範囲の請求項１ないし６に記載された事項により特定されるとおりのものである。
（イ）申立ての理由の概要
　申立人キャノン株式会社は、本件発明１ないし６は、甲第１号証（特開平０３−２０８２４０号公報）、甲第２号証（特開平０５−１１４３７２号公報）、甲第３号証（CONFERENCE RECORD OF THE 1991 INTERNATIONAL DISPLAY RESERCH CONFERENCE OCTOBER 15-17,1991 Phosphor for Full-Color Microtips Fluorescent Displays F.Levy and R.Meyer,LETI,France）に記載された発明に基づいて当業者が容易に発明をすることができたものであり、特許法第２９条第２項の規定により、特許を受けることができないものであるから、特許を取り消すべきと主張している。
　さらに、申立人は、本件発明１は、発明の効果とされている「アノード引き出し電極をカソード基板上に設けることができる」を実現するための要件を具備しておらず、明確性を欠くものであり、特許法第３６条第６項第２号の規定により、特許を受けることができないものであるから、特許を取り消すべきと主張している。
（ウ）判断
　本件発明１ないし６が甲第１〜３号証に記載された発明から容易になし得たものでないことは、上記２．（ウ）で述べたとおりである。
　したがって、本件発明１ないし６は、甲第１〜３号証に記載された発明に基づいて当業者が容易に発明をすることができたものとすることはできない。
　さらに、本件発明１は、上記訂正により、「導電性を有する支柱は…前記導体配線と前記アノード電極とに当接するように配設されている」との事項が加入され、「アノード引き出し電極をカソード基板上に設けることができる」ことが明確となった。
　したがって、本件発明１は、「アノード引き出し電極をカソード基板上に設けることができる」ものであり、特許法第３６条第６項第２号に係る特許異議申立人の主張は採用するに足らないものである。
（エ）むすび
　以上のとおりであるから、特許異議申立ての理由及び証拠によっては、本件発明１〜６についての特許を取り消すことはできない。
　また、他に本件発明１〜６についての特許を取り消すべき理由を発見しない。
　よって、結論のとおり決定する。　
【異議決定日】
平成１２年６月２日（２０００．６．２）
【訂正の要旨】
　　　　　　　　　　　　　　　　訂正の要旨
Ａ．特許請求の範囲に記載されている「少なくとも微小冷陰極が設けられているカソード基板」を「少なくとも微小冷陰極が複数のカソード電極ライン上に設けられているカソード基板」に訂正する。
Ｂ．特許請求の範囲に記載されている「前記導電性を有する支柱は前記導体配線と前記アノード電極とに当接するように配設されている」を「前記導電性を有する支柱は前記アノード電極の発光領域外に設けられた領域と、前記カソード基板の前記カソード電極ライン又はゲート電極ラインに沿って形成されている導体配線との間に配設されて、前記導体配線と前記アノード電極とに当接するように配設されている」に訂正する。
Ｃ．発明の詳細な説明中【課題を解決するための手段】の記載における「少なくとも微小冷陰極が設けられているカソード基板と、…、前記導電性を有する支柱は前記導体配線と前記アノード電極とに当接するように配設されている」を「少なくとも微小冷陰極が複数のカソード電極ライン上に設けられているカソード基板と、…、前記導電性を有する支柱は前記アノード電極の発光領域外に設けられた領域と、前記カソード基板の前記カソード電極ライン又はゲート電極ラインに沿って形成されている導体配線との間に配設されて、前記導体配線と前記アノード電極とに当接するように配設されている」に訂正する。
（５４）【発明の名称】
表示装置
（５７）【特許請求の範囲】
　　【請求項１】蛍光体を備えるアノード電極が設けられているアノード基板と、少なくとも微小冷陰極が
複数のカソード電極ライン上に
　前記カソード基板にはさらに少なくとも一つの導体配線が形成されており、前記複数本の支柱のうちの一部の支柱は導電性を有する支柱とされており、
　前記導電性を有する支柱は
前記アノード電極の発光領域外に設けられた領域と、前記カソード基板の前記カソード電極ライン又はゲート電極ラインに沿って形成されている導体配線との間に配設されて、
　　【請求項２】前記導体配線は前記封止部材の外部に引き出されており、該導体配線を介して前記アノード電極に駆動電圧を供給することができるように構成されていることを特徴とする請求項１記載の表示装置。
　　【請求項３】前記導体配線は、前記微小冷陰極から引き出された導体配線と同一の方向に引き出されていることを特徴とする請求項２記載の表示装置。
　　【請求項４】前記アノード電極は、各ストライプ毎に、赤、青、緑の発光色が得られるように蛍光体が設けられたストライプ状に構成されており、前記各ストライプは発光色に応じて対応する引き出し配線に接続されるものであり、前記各発光色に対応する引き出し配線は、アノード基板上において交差することなく、前記導電性を有する支柱を介して、それぞれ、前記カソード基板に形成された前記導体配線に接続されていることを特徴とする請求項１〜３のいずれか１項に記載の表示装置。
　　【請求項５】前記微小冷陰極として電界放出素子が用いられていることを特徴とする請求項１〜４のいずれか１項に記載の表示装置。
　　【請求項６】前記微小冷陰極として、ＭＩＭ型電子放出素子、表面伝導型電子放出素子あるいはＰＮ型電子放出素子が用いられていることを特徴とする請求項１〜４のいずれか１項に記載の表示装置。
【発明の詳細な説明】
　　　【０００１】
　　【産業上の利用分野】
　本発明は、対向して配置されるカソード基板とアノード基板とから構成されており、両基板の間隔が所定間隔に保持されるようその内部に支柱を備えた表示装置に関するものであり、特に電子源として微小冷陰極を備える表示装置に適用して好適なものである。
　　　【０００２】
　　【従来の技術】
　近年、半導体微細加工技術を駆使して半導体などの基板に冷陰極を内蔵したミクロンサイズの真空微小構造を集積する真空マイクロエレクトロニクスが注目を集めている。この真空マイクロエレクトロニクスの応用の一つとして表示装置が考えられており、一つの画素に複数の微小冷陰極を対応させた、高輝度でちらつきのない、超薄型フラットパネルディスプレイの研究開発が行われている。
　　　【０００３】
　真空マイクロエレクトロニクスにおいて最も重要な構成要素は電子を真空中に放出する微小冷陰極であるが、この微小冷陰極として、電界放出素子、ＭＩＭ型電子放出素子、表面伝導型電子放出素子、ＰＮ接合型電子放出素子など各種のものが提案されている。金属または半導体表面の印加電界を１０９［Ｖ／ｍ］程度にすると、トンネル効果により電子が障壁を通過して常温でも真空中に電子放出が行われる。この現象は電界放出（Ｆｉｅｌｄ　Ｅｍｉｓｓｉｏｎ）現象と呼ばれるが、これを利用して電子を放出する冷陰極が電界放出素子である。ＭＩＭ型電子放出素子は、金属層、薄い絶縁層および薄い金属層を積層した構造を有しており、両金属層間に電圧を印加することにより、薄い金属層側から電子が放出されるものである。表面伝導型電子放出素子は、絶縁基板上に設けられた第１および第２の電極の間の絶縁基板上に高抵抗薄膜が形成されたものであり、両電極間に電圧を印加することにより、高抵抗薄膜層から電子が放出されるものである。ＰＮ接合型電子放出素子としては、ＰＮ接合のなだれ降伏を利用するもの、あるいは、ＰＮ接合に順方向電圧を印加することによりＰ層に注入された電子がＰ層表面から放出されるようにするものがある。
　　　【０００４】
　これらのうち、最も代表的なものは電界放出素子であり、図８にその一例であるスピント（Ｓｐｉｎｄｔ）型と呼ばれる電界放出素子を示す。この図８において、ガラス等のカソード基板１上にアルミニウム等の金属で形成されたカソード電極２が設けられており、このカソード電極２上にモリブデン等の金属からなるコーン状のエミッタ５が形成されている。カソード電極２上のエミッタ５が形成されていない部分には二酸化シリコン（Ｓｉ０２）等からなる絶縁層３が形成されおり、さらにその上にゲート電極４が形成されている。ゲート電極４および絶縁層３には開口部６が設けられており、その中に上記コーン状のエミッタ５が位置している。すなわち、このコーン状のエミッタ５の先端部分が開口部６から臨む構成とされている。
　　　【０００５】
　このコーン状のエミッタ５間のピッチは１０ミクロン以下とすることができ、数万から数１０万個のエミッタ５を１枚の基板上に設けることができる。さらに、ゲート電極４とエミッタ５のコーンの先端との距離をサブミクロンとすることができるため、ゲート電極４とエミッタ５との間にわずか数１０ボルトのゲート・エミッタ間電圧ＶＧＥを印加することにより、電子をエミッタ５から電界放出することができる。ゲート電極４上に離隔して正の電圧ＶＡが印加されたアノード電極７を対向して設けておくと、エミッタ５から電界放出された電子をこのアノード電極７により捕集することができる。この場合、アノード電極７に蛍光体を設けておくとエミッタ５から電界放出された電子が捕集されるアノード電極７の蛍光体の部分を発光させることができる。このような原理を利用することにより、電界放出素子を用いた表示装置とすることができる。この表示装置を電界放出型表示装置（Ｆｉｅｌｄ　Ｅｍｉｓｓｉｏｎ　Ｄｉｓｐｌａｙ，ＦＥＤ）と呼ぶ。
　　　【０００６】
　上記原理を用いた従来のモノクロームＦＥＤを模式的に記載した斜視図を図９に示す。図９において、１はガラス等からなるカソード基板、２はカソード基板１上にストライプ状に設けられたカソード電極、３はカソード基板１およびカソード電極２上に設けられた二酸化シリコン膜等からなる絶縁層、４は絶縁層３上にカソード電極２と直交する方向にストライプ状に形成されたゲート電極、６は、カソード電極２の各ストライプとゲート電極４の各ストライプとが交差する部分における絶縁層３およびゲート電極４に設けられた開口部であり、その中に前記カソード電極２上に形成されたコーン状のエミッタが配置されている。７はアノード電極であり、該アノード電極には蛍光体層が設けられている。８はアノード電極７がその上に形成されている透明ガラス等からなるアノード基板である。また、Ａはアノード電極７に図示しない駆動回路からアノード電圧ＶＡを供給するために配設されているアノード引き出し配線、Ｃ１〜Ｃｎはカソード電極２の各ストライプに図示しない駆動回路から駆動信号を供給するために配設されているカソード引き出し配線、Ｇ１〜Ｇｍはゲート電極４の各ストライプに図示しない駆動回路から画像信号を供給するために配設されているゲート引き出し配線である。
　　　【０００７】
　このような構成において、アノード電極７にアノード引き出し配線Ａを介してアノード電圧ＶＡを供給しておき、カソード引き出し配線Ｃ１〜Ｃｎを介してカソード電極２の各ストライプを順次走査しつつ、ゲート引き出し配線Ｇ１〜Ｇｍを介してゲート電極４の各ストライプにそれぞれ画像信号を供給することにより、開口部６内に設置されたコーン状のエミッタから電子が放出され、対向するアノード電極７に設けられた蛍光体が発光することにより表示動作が行われるものである。
　　　【０００８】
　図１０はこのようなモノクロームＦＥＤの上面図である。この図において、１はカソード基板、７はアノード基板８に形成されているアノード電極、８はアノード基板、９はカソード基板１とアノード基板８とのあいだに設けられて両基板間を所定間隔に保持するとともに内部を高真空に封止するためのガラス等からなる封止部材（以下、「シールガラス」という）、１０はカソード基板１とアノード基板８との間隔を大気圧に抗して所定の間隔に保持するために両基板間に所定間隔毎に所定数配設されている絶縁体からなる支柱（以下、「絶縁支柱」という）である。また、Ａはアノード基板８上に設けられているアノード引き出し配線、Ｃはカソード基板１上に設けられているカソード引き出し配線群であり、図９におけるカソード引き出し配線Ｃ１〜Ｃｎを包括的に示すものである。さらに、Ｇはカソード基板１上に設けられているゲート引き出し配線群であり、図９におけるゲート引き出し配線Ｇ１〜Ｇｍを包括的に示すものである。
　　　【０００９】
　このように構成されたモノクロームＦＥＤにおいて、シールガラス９の内側にあるアノード電極７が形成されている領域が実際に画像が表示される領域となるが、図から明らかなように、カソード基板１およびアノード基板８は、いずれも、シールガラス９の外側にもいくらかの領域を有している。すなわち、カソード基板１はシールガラス９の外側に、図示されていないカソード電極の各ストライプから引き出されたカソード引き出し配線群Ｃが形成されている領域および図示されていないゲート電極の各ストライプから引き出されたゲート引き出し配線群Ｇが形成されている領域を有しており、また、アノード基板８はシールガラス９の外側にアノード電極７から引き出されたアノード引き出し配線Ａが形成されている領域を有している。そして、これらの引き出し配線（群）Ａ、ＣおよびＧは、それぞれ異なる方向に形成されている。
　　　【００１０】
　このように各引き出し配線（群）が異なる方向に形成されているのは、この種表示装置においてはカソード基板１とアノード基板８とが約２００ミクロン程度と非常に狭い間隔をもって対向配置されているので、上方のアノード基板８においてなされるアノード引き出し配線Ａと図示しない駆動回路との接続と、下方のカソード基板１においてなされるカソード引き出し配線群Ｃあるいはゲート引き出し配線群Ｇと図示しない駆動回路との接続とを同一位置において行うことが物理的に困難なためである。
　　　【００１１】
　また、このようなモノクロームＦＥＤを拡張することにより構成された三原色カラーＦ　ＥＤが知られている。図１１に三原色カラーＦＥＤを模式的に記載した斜視図を示す。図１１において図９と同じ符号は同じものを表わしているが、アノード基板８に設けられるアノード電極７は、図９に記載されたモノクロームＦＥＤの場合とは異なり、ストライプ状に構成されている。アノード電極７のストライプには、順次、赤色（Ｒ）、緑色（Ｇ）、青色（Ｂ）に発光する蛍光体が設けられており、設けられている蛍光体の発光色に対応して、異なるアノード引き出し配線Ａ１〜Ａ３に接続されている。図１１においては、Ｒを発光する各ストライプはアノード引き出し配線Ａ１に、Ｇを発光する各ストライプはアノード引き出し配線Ａ２に、そして、Ｂを発光する各ストライプはアノード引き出し配線Ａ３に、それぞれ、接続されている。そして、このアノード電極７のＲ、Ｇ、Ｂの３色のストライプが一組として発光されるように、ゲート電極４の各ストライプは、アノード電極７のＲ、Ｇ、Ｂに対応する３つのストライプにまたがるように形成されている。
　　　【００１２】
　このように構成された三原色カラーＦＥＤにおいては以下のように駆動することにより、カラーの画像が表示される。まず、アノード引き出し配線Ａ１を介してＲを発光するアノードストライプ群にアノード電圧を供給する。この状態で、カソード引き出し配線Ｃ１を選択し、Ｒの色の画像信号をゲート引き出し配線Ｇ１〜Ｇｍを介してゲート電極４の各ストライプに供給することにより、カソード引き出し配線Ｃ１に対応するカソードストライプの１ラインにＲの色の画像を表示させる。続いて、カソード引き出し配線Ｃ２を選択し、同様にＲの色の画像信号をゲート電極４に供給する。続いて、同様にＣ３〜Ｃｎまで順次走査していくことにより、Ｒの色の画像を表示装置に表示する。次に、アノード引き出し配線Ａ２を介してＧを発光するアノードストライプ群にアノード電圧を供給し、上記したＲの場合と同様に、カソード引き出し配線Ｃ１〜Ｃｎを順次選択しつつ、Ｇの色のデータをゲート引き出し配線Ｇ１〜Ｇｍを介してゲート電極４に供給することにより、Ｇの色の画像を表示させる。続いて、アノード引き出し配線Ａ３を介してＢを発光するアノードストライプ群にアノード電圧を供給し、上記と同様にして、カソード引き出し配線Ｃ１〜Ｃｎを走査しながら、ゲート引き出し配線Ｇ１〜ＧｍからＢの色のデータを供給することにより、Ｂの色の画像を表示させる。以下、同様の走査を繰り返すことにより、カラーの画像を表示するものである。
　　　【００１３】
　このようなカラーＦＥＤにおけるアノード基板８の構成を図１２に示す。この図に示すように、アノード基板８の中央部には、Ｒ、Ｇ、Ｂの各色の蛍光体が設けられたストライプ状に形成されたアノード電極が配列されており、Ｒ色のアノードストライプはアノード引き出し配線Ａ１に接続され、Ｇ色のアノードストライプはアノード引き出し配線Ａ２に接続され、Ｂ色のアノードストライプストライプはアノード引き出し配線Ａ３に接続されている。ここで、アノードストライがＲ、Ｇ、Ｂの三種類存在しているので、アノード基板上においてそれぞれの種類のストライプを対応するアノード引き出し配線Ａ１〜Ａ３と接続するためには、いずれか一つの種類のアノードストライプをそれに対応するアノード引き出し配線に接続するための導体配線を他の種類のアノードストライプに対応するアノード引き出し配線と交差させることが必要となる。この図においては、Ｂの色のアノードストライプとアノード引き出し配線Ａ３とを結ぶ導体配線とアノード引き出し配線Ａ２とが交差する例が記載されている。そして、このような交差を行うために、たとえば、（ａ）アノード引き出し配線Ａ２を形成した上に絶縁層を形成し、その絶縁層の上にＢの色のアノードストライプとアノード引き出し配線Ａ３とを接続するための導体配線を形成する、あるいは、（ｂ）Ｂの色のアノードストライプとアノード引き出し配線Ａ３とを導電性フィルムを用いて接続する等の立体配線の手法が採用されている。
　　　【００１４】
　　【発明が解決しようとする課題】
　モノクローム、カラーを問わず、上記したような従来の表示装置においては、図１０に示すように、カソード引き出し配線群Ｃが形成される領域、アノード引き出し配線Ａが形成される領域およびゲート引き出し配線群Ｇが形成される領域が表示装置のそれぞれ異なる辺に設けられていた。したがって、駆動回路と表示装置における各引き出し配線との接続を表示装置の３辺において行わなければならず、製造工程において配線の接続作業を３回行うことが必要であった。また、アノード基板８が、アノード引き出し配線Ａを形成するための領域を得るために、シールガラス９よりも右方に拡張された大きさのものとなっていた。この拡張された部分は実際に画像が表示される領域ではなく、表示画面の面積に比べ表示装置全体の外形寸法が大きなものとなるという問題点があった。
　　　【００１５】
　さらにまた、上記したような従来のカラー表示装置においては、図１２に関して説明したように、アノード電極のストライプとアノード引き出し配線とを接続するための導体配線を立体配線により行うことが必要であった。このような立体配線は、アノード基板上に形成された一方の配線の上に絶縁層を設け、その絶縁の上に他方の配線を形成する方法、あるいは、一方の導体配線は基板上に形成し、他方の導体配線は導電性フィルムを用いて行う方法などにより行われているが、いずれの方法を採用した場合においても、製造工程が複雑になるという問題点、および、比較的高いアノード電圧を用いているために配線の交差部に電界集中が生じ絶縁破壊が発生し易いという問題点があった。
　　　【００１６】
　そこで本発明は、駆動回路と表示装置との接続を容易に行うことができるようにすることを目的としている。また、表示画面の面積に対し外形寸法の小さな表示装置を提供することを目的としている。さらに、アノード基板上において立体配線を行わないカラー表示装置を提供することを目的としている。
　　　【００１７】
　　【課題を解決するための手段】
　上記目的を達成するために、本発明の表示装置は、上記目的を達成するために、本発明の表示装置は、蛍光体を備えるアノード電極が設けられているアノード基板と、
少なくとも微小冷陰極が複数のカソード電極ライン上に設けられているカソード基板と、
、前記導電性を
前記アノード電極の発光領域外に設けられた領域と、前記カソード基板の前記カソード電極ライン又はゲート電極ラインに沿って形成されている導体配線との間に配設されて、
　　　【００１８】
　さらにまた本発明のカラー表示装置は、前記アノード電極が、各ストライプ毎に、赤、青、緑の発光色が得られるように蛍光体が設けられたストライプ状に構成されており、前記各ストライプは発光色に応じて対応する引き出し配線に接続されるものであり、前記各発光色に対応する引き出し配線は、アノード基板上において交差することなく、前記導電性を有する支柱を介して、それぞれ、前記カソード基板に形成された前記導体配線に接続されているようにしたものである。
　　　【００１９】
　　【作用】
　本発明によれば、大気圧に抗してアノード基板とカソード基板との間隔を所定間隔に保持するために設けられる支柱の一部を導体支柱とすることにより、アノード電極をカソード基板上に設けられた導体配線と電気的に接続することができるため、アノード引き出し配線をカソード基板上に形成することができるようになる。したがって、アノード引き出し配線を、カソード基板上に設けられたカソード引き出し配線もしくはゲート引き出し配線と同じ辺に設けることができるようになる。また、三原色カラー表示装置においては、カソード基板上に形成されたアノード引き出し配線から導体支柱を通じてアノード電極ストライプにアノード電圧を供給することができるため、アノード基板上において立体配線を行うことが不要になる。
　　　【００２０】
　　【実施例】
　図１〜４により、本発明をモノクロームＦＥＤに適用した場合の実施例について説明する。図１は、本発明のモノクロームＦＥＤにおけるアノード基板８を示す図である。図示するように、本発明のアノード基板８は、点線で示されている従来技術におけるアノード基板８１よりも図の右側の部分が縮小された大きさとなっている。また、斜線で表わされている部分はアノード基板８上に形成されるアノード電極であり、従来技術におけるアノード電極領域７１と本発明により拡張された領域７２とからなる。このように本発明のアノード電極は従来技術の場合におけるアノード電極７１よりも７２で示す部分だけ拡張されたものとなっている。
　　　【００２１】
　図２は、本発明におけるカソード基板１を示す図である。本発明のカソード基板１は従来技術におけるカソード基板と同じ大きさである。図において点線で示されている領域は、カソード基板上に形成されているカソード電極、絶縁層およびゲート電極からなる領域を簡単化して示したものであり、Ｃはカソード引き出し配線群、Ｇはゲート引き出し配線群を表わしている。！１はカソード基板の下部余白に形成された導体配線であり、本発明により設けられるものである。この導体配線１１は、カソード基板１とアノード基板８とを重ね合せたときに、拡張されたアノード電極７２の下に位置する場所に形成される。なお、この導体配線１１はゲート電極を形成するときに同時に形成することが望ましい。
　　　【００２２】
　図３は、図１のアノード基板８と図２のカソード基板１とを重ね合せてなる本発明のモノクロームＦＥＤの上面図である。図３において、１はカソード基板、８はアノード基板、９はシールガラスである。黒丸で表わされている１０は絶縁支柱であり、図１０に示した従来技術の場合と同様に、大気圧に抗してアノード基板８とカソード基板１との間隔を所定間隔に保持するために両基板間に所定間隔毎に所定数配設されている．白丸で表わされている１２は本発明により設けられた導電性を有する支柱（以下、「導体支柱」という）であり、アノード電極の拡張された領域７２とカソード基板１に形成された導体配線１１との間に配設されて、絶縁支柱１０と同様に大気圧に抗して両基板間の間隔を保持するとともに、導体配線１１とアノード電極とを電気的に接続するためのものである。本発明はこのように構成されているので、カソード基板１上に形成された導体配線１１を介してアノード電極に駆動信号を供給することができる。すなわち、導体配線１１がアノード引き出し配線Ａとなっている。なお、この実施例においては、導体支柱として、たとえば、直径５０ミクロン、高さ２００ミクロン程度のガラス製の円柱に金、銀、銅、インジウム、ニッケルなどの金属を蒸着またはメッキしたものが使用されている。
　　　【００２３】
　本発明のモノクロームＦＥＤの構成をさらに明瞭にするために、図４に要部断面図を示す。図４において、１はカソード基板、２はカソード基板１上にストライプ状に形成されたカソード電極、３はカソード基板１もしくはカソード電極２上に形成されたＳｉ０２からなる絶縁層、４は絶縁層３の上にストライプ状に形成されたゲート電極、５はカソード電極２上に形成されたコーン状のエミッタ、６はその内部にコーン状のエミッタが配置されるように絶縁層３およびゲート電極４に設けられた開口部、７はアノード基板８上に形成されたアノード電極、８は透明ガラス等からなるアノード基板、９はカソード基板１とアノード基板８との間に設けられて両基板間を所定間隔に保持するとともに内部を高真空に封止するためのシールガラス、１０はカソード基板１とアノード基板８との間隔を大気圧に抗して所定間隔に保持するために両基板間に所定間隔毎に所定数配設されているガラスなどの絶縁体からなる絶縁支柱である．なお、この絶縁支柱１０は、その上端がアノード電極７に当接し、下端が絶縁層３あるいはゲート電極４に当接するように配設されている。１１はカソード基板１の下部余白に形成された導体配線、１２は導体配線１１とアノード電極７との間に配設され、カソード基板１とアノード基板８との間隔を大気圧に抗して所定間隔に保持するとともにアノード電極７と導体配線１１とを電気的に接続する導体支柱である。この導体支柱１２の数は、１個でもよいが、その数が少ないときは電界集中が生じて絶縁破壊が発生しやすくなるので、導体配線１１上の所定間隔毎に所定数設けるのが望ましい。
　　　【００２４】
　このように構成された本発明のモノクロームＦＥＤにおいては、図示しない駆動回路からカソード基板１上に形成されたアノード引き出し配線Ａとして機能する導体配線１１に供給されるアノード電圧は、導体支柱１２を介してアノード電極７に印加される。したがって、アノード引き出し配線Ａはカソード基板１上に形成されることとなり、カソード引き出し配線群Ｃあるいはゲート引き出し配線群Ｇと同じ辺に設けることができるようになった。
　　　【００２５】
　次に、本発明を三原色カラーＦＥＤに適用した実施例について、図５〜７に基づいて説明する。図５は本発明の三原色カラーＦＥＤのアノード基板８を示す図である。図において、アノード基板８の中央部に、順次Ｒ、Ｇ、Ｂの各色の蛍光体が設けられたストライプ状に形成されたアノード電極が配列されている。各アノードストライプのうち、Ｒ色のアノードストライプは図の上部に形成された導体配線に接続され、Ｂ色のアノードストライプストライプは図の下部に形成された導体配線に接続されているが、Ｇ色のアノードストライプはいずれにも接続されていない。
　　　【００２６】
　図６は本発明の三原色カラーＦＥＤのカソード基板１を示す図である。図６において点線で示されている領域は、カソード基板上に形成されているカソード電極、絶縁層およびゲート電極からなる領域を簡単化６て示したものであり、Ｃはカソード引き出し配線群、Ｇはゲート引き出し配線群を示している。１３〜１５はカソード基板１上の余白部に形成された導体配線であり、アノード基板８とカソード基板１とを重ねたときに、導体配線１３は図５に示すアノード基板８の上部に形成されたＲ色のアノードストライプに接続された導体配線と重なりあうように左上余白部に形成され、導体配線１４はＧ色の全てのアノードストライプと重なりあうように下部余白部にカソード電極とほぼ同じ長さを有するように形成され、１５はアノード基板８の下部に形成されたＢ色のアノードストライクに接続された導体配線と重なりあうように前記導体配線１４よりもさらに下部の余白部に形成されている。なお、これらの導体配線１３〜１５はゲート配線と同時に形成するのが効率的である。
　　　【００２７】
　図７は、図６に示したカソード基板１と図６に示したアノード基板８を重ねて配置することにより構成される本発明の三原色カラーＦＥＤの上面図である。図７において、１はカソード基板、８はアノード基板、９はシールガラスである。黒丸で表わされている１０は絶縁支柱であり、大気圧に抗してアノード基板８とカソード基板１との間隔を所定間隔に保持するために両基板間に所定間隔毎に所定数配設されている。白丸で表わされている１２は導体支柱であり、アノード基板８とカソード基板１との間の所定位置に配設されて、絶縁支柱１０と同様に大気圧に抗して両基板間の間隔を保持するとともに、アノード基板８に形成された導体配線とカソード基板１に形成された導体配線とを電気的に接続するためのものである。
　　　【００２８】
　この実施例においては、アノード基板８の上部に形成されたＲ色のアノードストライプが接続されている導体配線とカソード基板１の左上余白部に形成された導体配線１３とが重なりあった位置に導体支柱１２が配設されている。このことによって、導体配線１３がＲ色のアノードストライプに駆動信号を供給するためのアノード引き出し配線Ａ１として機能する。また、アノード基板８上に形成されたＧ色の各アノードストライプとカソード基板１の下部余白部にカソード電極とほぼ同じ長さを有するように形成された導体配線１４とが重なりあうそれぞれの位置に導体支柱１２が配設されている。このことにより、導体配線１４がＧ色のアノードストライプに対応するアノード引き出し配線Ａ２として機能する。さらに、アノード基板８の下部に形成されたＢ色のアノードストライプが接続されている導体配線とカソード基板１の下部の余白部に形成された導体配線１５とが重なりあう位置に導体支柱１２が配設されている。このことにより、導体配線１５がＢ色のアノードストライプに対応するアノード引き出し電極Ａ３として機能する。
　　　【００２９】
　このようにして、アノード基板８上に形成されたすべてのアノード電極は導体支柱１２を介してカソード基板１上に形成された各導体配線に接続され、各アノード引き出し配線はすべてカソード基板上に形成されることとなった。また、三原色カラーＦＥＤのアノード基板上において立体配線を行うことなく、各アノード電極をアノード引き出し配線に接続することができた。なお、図７においては、Ｇの色に対応する各アノード電極ストライプとカソード基板上に形成されたＧの色の引き出し配線とを接続する導体支柱が、各アノード電極ストライプにつき一つだけ図示されているが、これに限ることはなく、カソード基板上に形成される導体配線１４の幅を広くして複数本の導体支柱を配設することもできる。また、このようにすることにより電界集中を防ぐことができ、絶縁破壊を未然に防ぐことが期待できる。
　　　【００３０】　なお、上記各実施例においては導体支柱としてガラス製の円柱に金属をメッキまたは蒸着したものを採用しているが、導体支柱の形は円柱に限られることはなく、材質についても金属製のものとするなど各種の変更をすることができることは明らかである。要は、アノード基板上に形成された導体配線とカソード基板上に形成された導体配線とを電気的に接続することができ、かっ、アノード基板とカソード基板との間隔を所定の間隔に保持することができる程度の剛性を有するものであれば、導体支柱として用いることができるのであり、たとえば、両基板間の間隔に相当する直径を有する金属線などを導体配線１１上に配置することにより導体支柱として用いることもできる。また、上記各実施例においては、アノード引き出し配線をカソード引き出し配線群と同じ方向に導出しているが、これに限られるとはなく、ゲート引き出し配線群と同一の方向に導出するようにしてもよい。
　　　【００３１】　さらにまた、上記各実施例における表示装置は微小冷陰極として電界放出素子を用いたものであるが、これに限られることはなく、微小冷陰極として、ＭＩＭ型電子放出素子、表面伝導型電子放出素子あるいはＰＮ接合型電子放出素子のいずれを用いたものであってもよい、
　　　【００３２】
　なお、以上の説明においては、電界放出型表示装置（ＦＥＤ））に本発明を適用した場合について説明したが、本発明はこれに限られることはなく、内部に支柱が設けられている表示装置、例えば蛍光表示管などに適用することができるものである。
　　　【００３３】
　　【発明の効果】
　本発明によれば、一部の支柱を導体支柱としたので、アノード引き出し配線をカソード基板上に設けることができ、表示装置内の各電極からの引き出し配線を２辺に配置することが可能となる。したがって、表示装置と駆動回路とを接続する作業工程を短縮することができ、かつ、外形寸法の小さい表示装置を提供することができる。また、アノード基板上において立体配線を行う必要がない三原色カラー表示装置を提供することができる。
【図面の簡単な説明】
　　【図１】
　本発明をモノクロームＦＥＤに適用した一実施例におけるアノード基板の構成を示す図である。
　　【図２】
　本発明をモノクロームＦＥＤに適用した　実施例におけるカソード基板の構成を示す図である。
　　【図３】
　本発明をモノクロームＦＥＤに適用した一実施例の上面図である。
　　【図４】
　本発明をモノクロームＦＥＤに適用した一実施例の要部断面図である。
　　【図５】
　本発明を三原色カラーＦＥＤに適用した一実施例におけるアノード基板の構成を示す図である。
　　【図６】
　本発明を三原色カラーＦＥＤに適用した一実施例におけるカソード基板の構成を示す図である，
　　【図７】
本発明を三原色カラーＦＥＤに適用した実施例の上面図である。
　　【図８】
　スピント形の電界放出カソードを示す図である。
　　【図９】
　従来のモノクローム電界放出型表示装置を模式的に記載した斜視図である。
　　【図１０】
　従来のモノクローム電界放出型表示装置の上面図である。
　　【図１１】
　従来の三原色カラー電界放出型表示装置を模式的に記載した斜視図である。
　　【図１２】
　従来の三原色カラー電界放出型表示装置の上面図である。
　　【符号の説明】
　１　カソード基板
　２　カソード電極
　３　絶縁層
　４　ゲート電極
　５　エミッタ
　６　開口部
　７　アノード電極
　８　アノード基板
　９　シールガラス
　１０　絶縁支柱
　１１，１３，１４，１５　導体配線
　１２　導体支柱
　７１　従来のアノード電極
　７２　拡張されたアノード電極
　８１　従来のアノード基板
　Ａ，Ａ１，Ａ２，Ａ３　アノード引き出し配線
　Ｃ１〜Ｃｎ　カソード引き出し配線
　Ｇ　ゲート引き出し配線群
　Ｇ１〜Ｇｍ　ゲート引き出し配線